(57)【要約】【課題】携帯端末装置で放送番組の視聴中に放送波の受信圏外などにより放送番組を受信できなくなった場合でも、引き続き視聴中の放送番組を視聴できる携帯端末装置を提供する。【解決手段】放送波を受信することにより放送番組を受信する放送番組受信部120と、放送番組をストリーミング配信するサーバ装置からネットワークを介して放送番組を受信するパケット通信実行部110と、放送波の受信状況を監視する受信状況監視部130と、受信した放送番組を視聴可能に出力する放送番組出力部140と、放送波の受信状況の監視結果に基づいて放送番組出力部140から出力される放送番組を放送番組受信部120により受信された放送番組、または、パケット通信実行部110により受信された放送番組のいずれかへ切り替える視聴手段切替制御部150とを備えることを特徴とする。【選択図】  図１
2011146896.tif 000002
【特許請求の範囲】
【請求項１】
放送波を受信して放送番組を受信する放送番組受信部と、
前記放送番組をストリーミング配信するサーバ装置からネットワークを介して前記放送番組を受信するパケット通信実行部と、
前記放送番組受信部または前記パケット通信実行部によって受信された前記放送番組を視聴可能に出力する放送番組出力部と、
前記放送番組受信部による前記放送波の受信状況を監視する受信状況監視部と、
この受信状況監視部から出力される監視結果に基づいて、前記放送番組出力部から出力される前記放送番組を、前記放送番組受信部により受信された放送番組または前記パケット通信実行部により受信された放送番組のいずれかへ切り替える視聴手段切替制御部と
を備えることを特徴とする携帯端末装置。
【請求項２】
請求項１に記載の携帯端末装置において、
前記視聴手段切替制御部は、前記受信状況が受信可能から受信不可へ遷移したことを示す監視結果が前記受信状況監視部から出力されると、前記放送番組出力部から出力される放送番組を前記パケット通信実行部によって受信された放送番組へ切り替えることを特徴とする携帯端末装置。
【請求項３】
請求項１又は２に記載の携帯端末装置において、
前記視聴手段切替制御部は、前記放送番組受信部による前記放送番組の視聴が開始される際に、前記サーバ装置に対する接続認証を実行するとともに、前記サーバ装置に対して前記放送番組に関する情報を前記パケット通信実行部に送信させることを特徴とする携帯端末装置。
【請求項４】
請求項３に記載の携帯端末装置において、
前記放送番組に関する前記情報は、前記放送波の放送地域に基づいて設定されるチャンネル設定地域に関する情報と、前記放送番組のチャンネルに関する情報とを含むことを特徴とする携帯端末装置。
【請求項５】
放送波を受信して放送番組を受信する放送番組受信ステップと、
前記放送番組をストリーミング配信するサーバ装置からネットワークを介して前記放送番組を受信するパケット通信実行ステップと、
前記放送番組受信ステップまたは前記パケット通信実行ステップによって受信された前記放送番組を視聴可能に出力する放送番組出力ステップと、
前記放送番組受信ステップによる前記放送波の受信状況を監視する受信状況監視ステップと、
この受信状況監視ステップから出力される監視結果に基づいて、前記放送番組出力ステップによって出力される前記放送番組を、前記放送番組受信ステップにより受信された放送番組または前記パケット通信実行ステップにより受信された放送番組のいずれかへ切り替える視聴手段切替制御ステップと
を有することを特徴とする携帯端末装置の放送番組視聴方法。
【請求項６】
前記視聴手段切替制御ステップは、前記受信状況が受信可能から受信不可へ遷移したことを示す監視結果が前記受信状況監視ステップにおいて出力されると、前記放送番組出力ステップによって出力される放送番組を、前記パケット通信実行ステップによって受信された放送番組へ切り替えることを特徴とする携帯端末装置の放送番組視聴方法。
【請求項７】
請求項５または６に記載の携帯端末装置の放送番組視聴方法において、
前記視聴手段切替制御ステップは、前記放送番組受信ステップによる前記放送番組の視聴手段が実行される際に、
前記サーバ装置に対する接続認証を実行するサーバ装置接続認証ステップと、
前記サーバ装置に対して、前記放送波の放送地域に基づいて設定されるチャンネル設定地域に関する情報と前記放送番組のチャンネルに関する情報とを含む前記放送番組に関する情報を送信する放送地域情報送信ステップと
を更に有することを特徴とする携帯端末装置の放送番組視聴方法。
【請求項８】
請求項５乃至７に記載の携帯端末装置の放送番組視聴方法を、コンピュータに実行させることを特徴とする携帯端末装置の放送番組視聴プログラム。
【請求項９】
放送番組のストリーミング配信を行うサーバ装置と、このサーバ装置から送信されるパケットを受信して放送番組を視聴可能に出力する携帯端末装置とから構成され、ネットワークを介して前記サーバ装置と前記携帯端末装置とが接続され相互にパケット通信を行う放送番組視聴システムにおいて、
前記携帯端末装置は、請求項１乃至４のいずれかに記載の携帯端末装置であり、
前記サーバ装置は、前記携帯端末装置から送信されるストリーミング受信要求に応じて前記携帯端末装置が視聴している放送番組のストリーミング配信を実行することを特徴とする放送番組視聴システム。
【請求項１０】
請求項９に記載の放送番組視聴システムにおいて、
前記サーバ装置は、前記放送番組のストリーミング配信を実行する複数のコンテンツ配信装置のうち、前記携帯端末装置から送信される放送番組に関する情報に基づいてコンテンツ配信装置を検索し、検索結果に基づいて決定したコンテンツ配信装置に前記携帯端末装置に対する前記放送番組のストリーミング配信を実行させることを特徴とする放送番組視聴システム。
【発明の詳細な説明】
【技術分野】
【０００１】
本発明は、携帯端末装置、携帯端末装置の放送番組視聴方法およびプログラム、放送番組視聴システムに関し、特に放送波を受信して放送番組を視聴する機能を有する携帯端末装置、携帯端末装置の放送番組視聴方法およびプログラム、放送番組視聴システムに関する。
【背景技術】
【０００２】
近年、地上デジタルテレビ放送や衛星デジタルテレビ放送などのデジタルテレビ放送によるテレビ放送番組の視聴機器の普及が進んでいる。特に、地上デジタルテレビ放送の受信機能を備え、地上デジタルテレビ放送による放送番組（以下、地上デジタルテレビ放送を「地デジ放送」、地上デジタルテレビ放送による放送番組を「地デジ放送番組」という。）が視聴可能な携帯端末装置の普及が急速に進んでいる。
このような携帯端末装置を所持したユーザは、外出先などで地デジ放送番組の視聴が可能となり、地デジ放送番組の視聴における利便性が向上する。
【０００３】
しかしながら、地デジ放送には、地デジ放送波の圏外エリアや建物内や地下など、地デジ放送波を受信できない場所が存在する。例えば、地デジ放送の受信機能を備える携帯端末装置で地デジ放送番組の視聴している間に、地デジ放送波を受信できない場所へ移動すると、地デジ放送波を受信できない。このような場所に立ち入ると、携帯端末装置で引き続き地デジ放送番組を視聴できなくなってしまうといった問題があった。
【０００４】
このような問題に対して、デジタルテレビ放送による放送番組をインターネットなどのネットワークを経由して配信する技術が知られている（特許文献１）。特許文献１に記載されている技術は、放送局が放送した放送番組と同様の内容のコンテンツを保持するコンテンツサーバと、放送局が指定するＵＲＬにアクセスすることにより対応するコンテンツを再生するホームサーバと、放送局から受信したＵＲＬをホームサーバに送信する携帯電話とから構成される情報配信システムである。
【先行技術文献】
【特許文献】
【０００５】
【特許文献１】特開２００４−３０４４２９号公報
【発明の概要】
【発明が解決しようとする課題】
【０００６】
しかしながら、上記した特許文献１に開示されている技術は、既に放送が終了した放送番組を再度ホームサーバにおいて再生させる技術であるため、携帯端末装置において放送番組を視聴する場合、放送波の受信圏外のため視聴できなくなった際に、放送番組を視聴していた携帯端末装置では引き続き放送番組を視聴できないといった問題があった。
【０００７】
また、特許文献１に開示されている技術では、指定されたＵＲＬにアクセスすることでストリーミング配信による放送番組の視聴を可能にすることが示唆されている。
しかしながら、上記の技術では、携帯端末装置において放送番組を放送波の受信圏外のため視聴できなくなった場合、指定のＵＲＬへアクセスするためにユーザ自らの操作を必要とするために放送番組の視聴を中断しなければならず、引き続き放送番組を視聴できないといった問題があった。
【０００８】
そこで本発明は、上述の問題を解決すべく、携帯端末装置で放送番組の視聴中に放送波の受信圏外への移動などにより放送番組を受信できなくなった場合においても、引き続き視聴中の放送番組を視聴できる携帯端末装置、携帯端末装置の放送番組視聴方法を提供することを目的とする。
【課題を解決するための手段】
【０００９】
上記の目的を達成するため、本発明は、放送波を受信して放送番組を受信する放送番組受信部と、前記放送番組をストリーミング配信するサーバ装置からネットワークを介して前記放送番組を受信するパケット通信実行部と、前記放送番組受信部または前記パケット通信実行部によって受信された前記放送番組を視聴可能に出力する放送番組出力部と、前記放送番組受信部による前記放送波の受信状況を監視する受信状況監視部と、この受信状況監視部から出力される監視結果に基づいて、前記放送番組出力部から出力される前記放送番組を、前記放送番組受信部により受信された放送番組または前記パケット通信実行部により受信された放送番組のいずれかへ切り替える視聴手段切替制御部とを備えることを特徴とする
【発明の効果】
【００１０】
本発明によれば、放送波の受信状況を監視することによって放送波の受信圏外を検知して放送番組の視聴手段をパケットの受信に基づく視聴手段へ切り替えることにより、放送番組の視聴中に放送波の受信圏外などにより放送波を受信できなくなった場合でも、引き続き視聴中の放送番組をパケットの受信に基づく視聴手段により視聴できる。
【図面の簡単な説明】
【００１１】
【図１】本発明の第１の実施の形態にかかる携帯端末装置の構成を示すブロック図である。
【図２】本発明の第１の実施の形態にかかる携帯端末装置の動作を示すフローチャートである。
【図３】本発明の第２の実施の形態にかかる携帯端末装置を含んだ放送番組視聴システムの構成を示すブロック図である。
【図４】本発明の第２の実施の形態にかかる携帯端末装置を含んだ放送番組視聴システムの動作シーケンスのうち、携帯端末装置に対するストリーミング配信の実行準備までの動作シーケンスを示すシーケンス図である。
【図５】本発明の第２の実施の形態にかかる携帯端末装置を含んだ放送番組視聴システムにおけるサーバ装置のコンテンツ配信装置の決定動作を示すフローチャートである。
【図６】本発明の第２の実施の形態におけるサーバ装置のコンテンツ配信装置の検索動作を示すフローチャートである。
【図７】本発明の第２の実施の形態にかかる携帯端末装置を含んだ放送番組視聴システムの動作シーケンスのうち、携帯端末装置に対するストリーミング配信の実行動作を示すシーケンス図である。
【図８】本発明の第２の実施の形態にかかる携帯端末装置を含んだ放送番組視聴システムの構成の他の一例を示すブロック図である。
【発明を実施するための形態】
【００１２】
以下、本発明における実施の形態について、図面を参照して詳細に説明する。
［第１の実施の形態］
本発明の第１の実施の形態にかかる携帯端末装置は、放送波の受信による放送番組の視聴手段とネットワークを介したストリーミング受信による放送番組の視聴手段とを有し、放送波の受信状況に応じて放送番組の視聴手段を切り替えるものである。
本実施の形態にかかる携帯端末装置１０は、図１に示すように、パケット通信実行部１１０と、放送番組受信部１２０と、受信状況監視部１３０と、放送番組出力部１４０と、視聴手段切替制御部１５０とから構成されている。
【００１３】
パケット通信実行部１１０は、放送番組をストリーミング配信するサーバ装置とインターネットなどのネットワークを介してパケット通信を実行し、このサーバ装置から送信されるパケットを受信することにより放送番組を受信する。
放送番組受信部１２０は、放送波を受信することにより放送番組を受信する。
受信状況監視部１３０は、放送番組受信部１２０による放送波の受信状況を監視し、監視結果を出力する。
放送番組出力部１４０は、放送番組受信部１２０またはパケット通信実行部１１０によって受信された放送番組を視聴可能に出力する。
【００１４】
視聴手段切替制御部１５０は、受信状況監視部１３０から出力される監視結果に基づいて、放送番組出力部１４０から出力される放送番組を、放送番組受信部１２０によって受信された放送番組、または、パケット通信実行部１１０によって受信された放送番組のいずれかへ切り替える。
【００１５】
なお、本実施の形態にかかる携帯端末装置１０の各構成要素は、ＣＰＵ（中央演算装置）やメモリ、インターフェースからなるコンピュータにコンピュータプログラム（ソフトウエア）をインストールすることによって実現され、上述した携帯端末装置１０の各種機能は、上記コンピュータの各種ハードウェア資源と上記コンピュータプログラムとが協働することによって実現される。
【００１６】
次に、本実施の形態にかかる携帯端末装置１０の動作について、図２に示すフローチャートを参照して説明する。
図２に示すように、携帯端末装置１０で放送波を受信して放送番組を視聴する場合、携帯端末装置１０の放送番組受信部１２０は、放送波を受信することにより放送番組を受信し、放送番組出力部１４０は、放送番組受信部１２０によって受信された放送番組を視聴可能に出力する（Ｓ１０１）。
【００１７】
放送番組受信部１２０によって受信された放送番組の視聴が継続している間、携帯端末装置１０の受信状況監視部１３０は、放送波の受信状況の監視を行う（Ｓ１０２）。
受信状況監視部１３０は、放送波の受信状況の監視を継続している間、放送波の受信状況が受信不可状態へ遷移したか否かの判定を行う（Ｓ１０３）。
【００１８】
放送波の受信状況が受信不可状態へ遷移していない場合（Ｓ１０３で「NO」）、すなわち、放送番組受信部１２０による放送波の受信状況が受信可能状態を継続している場合、受信状況監視部１３０は、放送波の受信状況が受信可能状態である旨の監視結果を出力し（Ｓ１０４）、引き続き放送波の受信状況の監視を継続する。
【００１９】
放送波の受信状況が受信不可状態へ遷移した場合（Ｓ１０３で「YES」）、すなわち、放送番組受信部１２０が放送波を受信できない状態となった場合、受信状況監視部１３０は、放送波の受信状況が受信不可状態である旨の監視結果を出力する（Ｓ１０５）。
【００２０】
視聴手段切替制御部１５０は、受信状況監視部１３０から出力される監視結果が受信不可状態を示すことを検知すると、放送番組出力部１４０から視聴可能に出力されている放送番組を、放送番組受信部１２０によって受信された放送番組から、パケット通信実行部１１０によって受信された放送番組、すなわち、サーバ装置からストリーミング配信された放送番組へ切り替える（Ｓ１０６）。
【００２１】
このように、本実施の形態にかかる携帯端末装置によれば、放送波の受信状況を監視することによって放送波の受信圏外を検知して放送番組の視聴手段をパケットの受信に基づく視聴手段へ切り替えることにより、放送番組の視聴中に放送波の受信圏外などにより放送波を受信できなくなった場合でも、引き続き視聴中の放送番組をパケットの受信に基づく視聴手段により視聴できる。
【００２２】
［第２の実施の形態］
図３は、本発明の第２の実施の形態にかかる携帯端末装置２０を含んだ放送番組視聴システムの構成を示すブロック図である。
本実施の形態にかかる携帯端末装置２０を含んだ放送番組視聴システムは、放送波の受信による放送番組の視聴手段とネットワークを介したストリーミング受信による放送番組の視聴手段とを有する携帯端末装置２０が放送番組を視聴する際に、携帯端末装置２０における放送波の受信状況に応じて放送番組の視聴手段の切替を制御する放送番組視聴システムである。
なお、本実施の形態にかかる形態端末装置２０の構成および機能について、第１の実施の形態において説明した形態端末装置１０と同一の構成および機能を有するものには同一の符号を付し、これらの詳細な説明を省略する。
【００２３】
本実施の形態における放送番組視聴システム２００は、図３に示すように、放送番組放送局Ｂから放送される放送番組の視聴手段を有する携帯端末装置２０と、放送番組のストリーミング配信の実行を制御するサーバ装置２１と、放送番組放送局Ｂから放送される放送番組のストリーミング配信を実行するコンテンツ配信装置２２−１〜２２−ｎとから構成され、これらがインターネットなどのネットワークＡを介して接続され相互にパケット通信を行うものである。
【００２４】
携帯端末装置２０は、通信相手とネットワークＡを介してパケット通信を実行するパケット通信実行部２１０と、放送番組放送局Ｂから放送される放送番組を受信する放送番組受信部２２０と、放送番組受信部２２０における放送波の受信状況を監視する受信状況視部１３０と、放送番組を視聴可能に出力する放送番組出力部２４０と、受信状況監視部１３０による監視結果に応じて放送番組の視聴手段を切り替える視聴手段切替制御部２５０とから構成されている。
【００２５】
パケット通信実行部２１０は、ネットワークＡを介して、サーバ装置２１およびコンテンツ配信装置２２−１とパケット通信を行う。
例えば、サーバ装置２１への接続開始する際のパケット通信では、パケット通信実行部２１０は、サーバ装置２１に対して接続要求であるパケットを送信し、サーバ装置２１から送信される接続応答であるパケットを受信する。
コンテンツ配信装置２２−ｎに対してストリーミング開始要求を送信する際のパケット通信では、パケット通信実行部２１０は、コンテンツ配信装置２２−ｎに対してストリーミング配信開始要求であるパケットを送信し、コンテンツ配信装置２２−ｎからストリーミング配信される放送番組を受信する。パケット通信実行部２１０は、受信した放送番組を放送番組出力部２４０へ出力する。
【００２６】
放送番組受信部２２０は、放送番組放送局Ｂから送信される放送波を受信することにより、放送波によって放送されている放送番組を受信し、受信した放送番組を放送番組出力部２４０へ出力する。
【００２７】
放送番組出力部２４０は、放送番組受信部２２０またはパケット通信実行部２１０によって受信された放送番組を視聴可能に出力する。具体的には、放送番組受信部２２０で受信した放送波、または、パケット通信実行部２１０で受信したパケットを復調し、復調したデータに基づいて生成された画像を表示装置２４１から出力し、音声を音声出力装置２４２から出力することで、受信した放送番組を視聴可能に出力する。
【００２８】
視聴手段切替制御部２５０は、受信状況監視部１３０から出力される監視結果に基づいて、放送番組の視聴手段を放送番組受信部２２０による視聴手段またはパケット通信実行部２１０による視聴手段のいずれかへ切り替える。
例えば、放送番組受信部２２０による放送波の受信状況が受信可能状態から受信不可状態へ遷移したことを示す監視結果が受信状況監視部１３０から出力されると、視聴手段切替制御部２５０は、サーバ装置２１に対してストリーミング配信による放送番組の受信を要求するパケット（ストリーミング受信要求）をパケット通信実行部１１０に送信させ、放送番組の視聴手段を切り替える。
なお、放送番組受信部２２０による放送波の受信状況が受信不可状態から受信可能状態へ遷移したことを示す監視結果が受信状況監視部１３０から出力される場合、すなわち、放送波の受信環境が受信圏外から受信圏内へ復帰した場合、視聴手段切替制御部２５０は、放送番組出力部２４０から視聴可能に出力されている放送番組を、放送番組受信部２２０によって受信された放送番組へ切り替えるとしても良い。
【００２９】
さらに、視聴手段切替制御部２５０は、放送番組受信部２２０による放送番組の視聴が開始される場合、サーバ装置２１に対する接続要求をパケット通信実行部２１０を介して行い、サーバ装置２１との接続が完了した後に、放送番組受信部２２０により視聴する放送番組に関する情報をサーバ装置２１に対してパケット通信実行部２１０に送信させる。
【００３０】
ここで、視聴手段切替制御部２５０によってサーバ装置２１へ送信される放送番組に関する情報は、視聴している放送番組のチャンネル情報や、この放送番組を放送している放送対象地域に基づいて決定されるチャンネル設定地域を表す「放送波エリア情報」を含むものである。
具体的には、放送対象地域がＡＢＣ地方であるチャンネル設定地域ａｂｃにおいて、携帯端末装置２０で放送番組Ｘを視聴する場合、視聴手段切替制御部２５０からサーバ装置２１へ送信される放送番組に関する情報には、例えば、チャンネル設定地域ａｂｃを一意に示した４ビットのデータ（放送波エリア情報）と、放送番組Ｘのチャンネルを示した２ビットのデータ（チャンネル情報）とを含んだ情報とすることができる。
上記した「放送波エリア情報」は、携帯端末装置２０の位置を特定する情報に基づいて決定することができる。携帯端末装置２０の位置の特定は、例えば、ＧＰＳ（Global Positioning System）から得られる位置情報、携帯電話基地局などのアクセスポイントからの位置情報、または、受信した放送波から特定した位置情報などから特定しても良い。
【００３１】
また、サーバ装置２１は、データベース２１ａとストリーミング配信制御手段２１ｂとから構成され、接続要求を出力した携帯端末装置２０との間で接続認証を行い、認証完了後に携帯端末装置２０に対するストリーミング配信制御を実行する。
ここで、携帯端末装置２０とサーバ装置２１の間で実行される認証動作は、予め定められたＩＤとパスワードを携帯端末装置２０から送信さることで実現でき、または、サーバ装置２１に予め記憶されているサーバ装置２１との通信を許可する携帯端末装置の装置固有の機器ＩＤ（ＭＡＣアドレスなど）と、接続要求を送信した携帯端末装置の機器ＩＤとを照合させることにより実現しても良い。
【００３２】
データベース２１ａは、放送番組のストリーミング配信を実行するコンテンツ配信装置２２−１〜２２−ｎ毎に、コンテンツ配信装置２２−１〜２２−ｎのＩＰアドレスやポート番号で表されるアクセス先情報と、コンテンツ配信装置２２−１〜２２−ｎがストリーミング配信する放送番組の放送対象地域を特定してチャンネル設定地域を表す放送波エリア情報とを関連付けて記憶したコンテンツ配信装置情報を格納する。
ここで、データベース２１ａに格納されているコンテンツ配信装置情報は、放送波エリア情報により特定される放送対象地域を単位としたツリー構造を有する情報として管理することができる。例えば、コンテンツ配信装置情報のツリー構造における各階層を、放送対象地域である都市、県、地方、国、といった地域区分によって階層化することができる。階層化したコンテンツ配信装置情報は、サーバ装置２１のデータベース２１ａに一括して格納しても良く、また、階層別に複数のデータベースに分散させて格納しても良い。
【００３３】
ストリーミング配信制御手段２１ｂは、認証された携帯端末装置２０から送信される放送番組に関する情報とデータベース２１ａに格納されているコンテンツ配信装置情報とに基づいて、携帯端末装置２０に対してストリーミング配信を実行する最適なコンテンツ配信装置２２−ｎを検索して決定し、決定したコンテンツ配信装置２２−ｎからストリーミング配信を受信するための鍵情報を携帯端末装置２０に対して通知する。
【００３４】
また、コンテンツ配信装置２２−１〜２２−ｎは、サーバ装置２１に対して接続認証が完了した携帯端末装置２０から送信されるストリーミング受信要求に応じて待機中であった放送番組のストリーミング配信を実行する。
なお、本実施の形態にかかる携帯端末装置２０、サーバ装置２１、コンテンツ配信装置２２−ｎの各構成要素は、ＣＰＵ（中央演算装置）やメモリ、インターフェースからなるコンピュータにコンピュータプログラム（ソフトウエア）をインストールすることにより実現され、上記した携帯端末装置２０、サーバ装置２１、コンテンツ配信装置２２−ｎの各機能は、上記コンピュータの各種ハードウェア資源と上記コンピュータプログラムとが協働することによって実現される。
【００３５】
次に、本実施の形態にかかる携帯端末装置２０を含んだ放送番組視聴システム２００の動作について図を参照して説明する。
図４は、本実施の携帯にかかる携帯端末装置２０を含んだ放送番組視聴システム２００の動作のうち、コンテンツ配信装置２２−ｎが放送番組のストリーミング配信準備を完了するまでの動作を示すシーケンス図である。
【００３６】
図４に示すように、携帯端末装置２０の放送番組受信部２２０による放送番組放送局Ｂから放送されている放送番組の視聴が開始されると（Ｓ２０１）、携帯端末装置２０の視聴手段切替制御部２５０は、サーバ装置２１に対して、パケット通信開始要求である接続認証リクエストをパケット通信実行部２１０から送信させる（Ｓ２０２）。
【００３７】
携帯端末装置２０から送信された接続認証リクエストを受信したサーバ装置２１は、接続認証を行うための認証データの返信を要求する認証データリクエストを携帯端末装置２０へ送信する（Ｓ２０３）。
サーバ装置２１から送信された認証データリクエストを受信した携帯端末装置２０は、サーバ装置２１に対して認証データ（ＩＤとパスワード、または、機器ＩＤなど）を返信する（Ｓ２０４）。
携帯端末装置２０から送信された認証データを受信したサーバ装置２１は、接続認証を実行し認証結果を携帯端末装置２１へ送信し（Ｓ２０５）、携帯端末装置２０を認証完了機器として登録する（Ｓ２０６）。
【００３８】
サーバ装置２１は、携帯端末装置２０について認証完了機器として登録すると、携帯端末装置２０から受信した放送波エリア情報に基づいて、携帯端末装置２０に対する放送番組のストリーミング配信を実行させるコンテンツ配信装置２２−ｎを検索して決定する（Ｓ２０７）。
【００３９】
＜コンテンツ配信装置の検索と決定について＞
ここで、サーバ装置２１による携帯端末装置２０に対する放送番組のストリーミング配信を実行するコンテンツ配信装置２２−ｎの検索動作について、図５および図６を参照して説明する。
図５に示すように、サーバ装置２１は、認証登録された携帯端末装置２０から放送波エリア情報を取得し（Ｓ２０７−１）、この放送波エリア情報と同一の放送波エリア情報がデータベース２１ａに格納されているコンテンツ配信装置情報に記憶されているか否かを判定する（Ｓ２０７−２）。
【００４０】
携帯端末装置２０から取得した放送波エリア情報と同一の放送波エリア情報がコンテンツ配信装置情報に記憶されていない場合（Ｓ２０７−２で「NO」）、サーバ装置装置２１は、コンテンツ配信装置情報の異なる階層に記憶されているコンテンツ配信装置の検索を行う（Ｓ２０７−８）。すなわち、携帯端末装置２０から取得した放送波エリア情報から特定される放送対象地域とは異なる地域区分の放送波エリア情報と対応したコンテンツ配信装置を検索する。
【００４１】
携帯端末装置２０から取得した放送波エリア情報と同一の放送波エリア情報がコンテンツ配信情報に記憶されている場合（Ｓ２０７−２で「YES」）、サーバ装置２１のストリーミング配信制御手段２１ｂは、コンテンツ配信装置情報から、携帯端末装置２０から取得した放送波エリア情報に関連付けられて記憶されているコンテンツ配信装置２２−１〜２２−ｎを全て抽出してリスト化する（Ｓ２０７−３）。
【００４２】
ここで、上記したコンテンツ配信装置２２−１〜２２−ｎのリスト化についてさらに詳しく説明する。
サーバ装置２１は、データベース２１ａに格納されているコンテンツ配信装置情報から、取得した放送波エリア情報と関連付けて記憶されているコンテンツ配信装置２２−１〜２２−ｎを抽出し、抽出したコンテンツ配信装置２２−１〜２２−ｎに対して、携帯端末装置２０に対する放送番組のストリーミング配信を実行させるコンテンツ配信装置の優先順位を決定してリスト化する。
【００４３】
抽出したコンテンツ配信装置２２−１〜２２−ｎに対する優先順位の決定は、コンテンツ配信装置のアクセス先情報と、携帯端末装置２０のＩＰアドレスやポート情報を示すネットワーク情報（以下、「ＮＷ情報」という）との比較により、接続親和性の高い順に優先順位を高くするよう決定する。
例えば、コンテンツ配信装置２２−１〜２２−ｎのアクセス先情報と携帯端末装置２０のＮＷ情報とのドメイン名において、後方一致部分が長いアクセス先情報を有するコンテンツ配信装置から優先順位が高いとして、抽出したコンテンツ配信装置２２−１〜２２−ｎの優先順位を決定することができる。
【００４４】
サーバ装置２１は、作成したリスト上のコンテンツ配信装置のうち、優先順位が最も高いコンテンツ配信装置２２−ｎに対して、放送番組のストリーミング配信の実行が可能な状態であるか否か（電源ＯＮ／ＯＦＦ、放送番組の配信サービス実行／停止、機器メンテナンス中などを示す状態。以下、これらをまとめて「装置状態」という。）の問い合わせを行う（Ｓ２０７−４）。
【００４５】
問い合わせたコンテンツ配信装置からの応答に基づいて、ストリーミング配信制御手段２１ｂは、このコンテンツ配信装置が配信可能状態であるか否かを判定する（Ｓ２０７−５）。
配信可能状態ではなかった場合（Ｓ２０７−５で「NO」）、ストリーミング配信制御手段２１ｂは、問い合わせたコンテンツ配信装置が作成したリストのうちで優先順位が最下位のコンテンツ配信装置であるか否かを判定し（Ｓ２０７−６）、最下位のコンテンツ配信装置でなければ（Ｓ２０７−６で「NO」）、問い合わせたコンテンツ配信装置の次に優先順位が低いコンテンツ配信装置に対して装置状態を問い合わせる（Ｓ２０７−７）。
ストリーミング配信制御手段２１ｂは、問い合わせたコンテンツ配信装置からの応答に基づいて配信可能状態であるか否かを判定し（Ｓ２０７−５）、配信可能状態でなければ（Ｓ２０７−５で「NO」）、作成したリスト上で優先順位が最下位のコンテンツ配信装置まで配信可能状態であるコンテンツ配信装置を検索する。
【００４６】
作成したリスト上の全てのコンテンツ配信装置が配信可能状態ではなかった場合（Ｓ２０７−６で「YES」）、サーバ装置装置２１は、コンテンツ配信装置情報の異なる階層に記憶されているコンテンツ配信装置の検索を行う（Ｓ２０７−８）。
【００４７】
問い合わせたコンテンツ配信装置が配信可能状態であった場合（Ｓ２０７−５で「YES」）、または、コンテンツ配信装置情報の異なる階層に記憶されているコンテンツ配信装置の検索結果が「ＹＥＳ」の場合（Ｓ２０７−８で「YES」）、ストリーミング配信制御手段２１ｂは、携帯端末装置２０に対して放送番組のストリーミング配信を実行するコンテンツ配信装置の検索結果を「有り」と判断し（Ｓ２０７−１０）、コンテンツ配信装置の検索結果に基づいて携帯端末装置２０に対して放送番組のストリーミング配信を実行するコンテンツ配信装置２２−ｎを決定する（Ｓ２０７−１１）。
【００４８】
一方、コンテンツ配信装置情報の異なる階層に記憶されているコンテンツ配信装置の検索結果が「ＮＯ」の場合（Ｓ２０７−８で「NO」）、ストリーミング配信制御手段２１ｂは、携帯端末装置２０に対して放送番組のストリーミング配信を実行するコンテンツ配信装置の検索結果を「無し」と判断し（Ｓ２０７−９）、コンテンツ配信装置の検索動作を終了する。
【００４９】
＜異なる階層（異なる放送対象地域）のコンテンツ配信装置の検索動作について＞
ここで、サーバ装置２１によって実行されるコンテンツ配信装置情報の異なる階層に記憶されているコンテンツ配信装置の検索動作について、図６を参照して説明する。
サーバ装置２１は、データベース２１ａに格納されているコンテンツ配信装置情報のうち、携帯端末装置２０から取得した放送波エリア情報によって特定される放送対象地域の階層に関連付けられたコンテンツ配信装置を検索できなかった場合、異なる階層（放送対象地域）に関連付けられているコンテンツ配信装置の検索を開始する。
【００５０】
サーバ装置２１は、コンテンツ配信情報の異なる階層に関連付けられているコンテンツ配信装置の検索を開始すると、図６に示すように、携帯端末装置２０から取得した放送波エリア情報に基づいて作成されたコンテンツ配信装置のリストに基づいたコンテンツ配信装置の検索の実行後であるか否かを判定する（Ｓ３０１）。
【００５１】
リストに基づく検索の実行後であった場合（Ｓ３０１で「YES」）、サーバ装置２１のストリーミング配信制御手段２１ｂは、データベース２１ａに格納されているコンテンツ配信装置情報に、検索済のリストにおける放送波エリア情報から特定される放送対象地域より下位の階層が記憶されているか否かを判定する（Ｓ３０２−１）。
下位階層が記憶されている場合（Ｓ３０２−１で「YES」）、ストリーミング配信制御手段２１ｂは、この下位の階層に関連付けられているコンテンツ配信装置を抽出し優先順位を付けてリスト化し、このリストに基づいてストリーミング配信可能なコンテンツ配信装置の検索を開始する（Ｓ３０３−１）。
下位階層が記憶されていない場合には（Ｓ３０２−１で「NO」）、検索対象となりうるコンテンツ配信装置がデータベース２１ａには記憶されていないため、ストリーミング配信制御手段２１ｂは、ストリーミング配信可能なコンテンツ配信装置は無しと判断して検索結果を「ＮＯ」とし（Ｓ３０９）、サーバ装置２１によるコンテンツ配信装置の検索動作を終了する。
【００５２】
一方、リストに基づく検索の実行後でなかった場合（Ｓ３０１で「NO」）、ストリーミング配信制御手段２１ｂは、データベース２１ａに格納されているコンテンツ配信装置情報に、携帯端末装置２０から取得した放送波エリア情報から特定される放送対象地域より上位の階層が記憶されているか否かを判定する（Ｓ３０２−２）。
上位階層が記憶されている場合（Ｓ３０２−２で「YES」）、ストリーミング配信制御手段２１ｂは、この上位の階層に関連付けられているコンテンツ配信装置を抽出して優先順位を付けてリスト化し、このリストに基づいてストリーミング配信可能なコンテンツ配信装置の検索を開始する（Ｓ３０３−２）。
上位階層が記憶されていない場合には（Ｓ３０２−２で「NO」）、検索対象となりうるコンテンツ配信装置がデータベース２１ａには記憶されていないため、ストリーミング配信制御手段２１ｂは、ストリーミング配信可能なコンテンツ配信装置は無しと判断して検索結果を「ＮＯ」とし（Ｓ３０９）、サーバ装置２１によるコンテンツ配信装置の検索動作を終了する。
【００５３】
検索対象となる放送対象地域に関連付けられたコンテンツ配信装置のリストが作成されると、ストリーミング配信制御手段２１ｂは、作成したリスト上のコンテンツ配信装置のうち、優先順位が最も高いコンテンツ配信装置に対して、装置状態の問い合わせを行う（Ｓ３０４）。
問い合わせたコンテンツ配信装置からの応答に基づいて、ストリーミング配信制御手段２１ｂは、このコンテンツ配信装置がストリーミング配信可能な状態であるか否かを判定する（Ｓ３０５）。
【００５４】
問い合わせ先からの応答がストリーミング配信可能な状態ではなかった場合（Ｓ３０５で「NO」）、ストリーミング配信制御手段２１ｂは、装置状態を問い合わせたコンテンツ配信装置が、リスト上の優先順位が最下位のコンテンツ配信装置であるか否かを判定する（Ｓ３０７）。
最下位のコンテンツ配信装置でなければ（Ｓ３０７で「NO」）、ストリーミング配信制御手段２１ｂは、装置状態を問い合わせたコンテンツ配信装置の次にリスト上の優先順位が低いコンテンツ配信装置に対して装置状態を問い合わせる（Ｓ３０８）。
ストリーミング配信制御手段２１ｂは、作成したリスト上の優先順位が最下位のコンテンツ配信装置まで、ストリーミング配信可能な状態のコンテンツ配信装置を検索する。
【００５５】
作成したリスト上の全てのコンテンツ配信装置がストリーミング配信可能な状態ではなかった場合（Ｓ３０７で「YES」）、ストリーミング配信制御手段２１ｂは、データベース２１ａに格納されているコンテンツ配信装置情報に、検索済のリストにおける放送対象地域より下位の階層が記憶されているか否かを判定し（Ｓ３０２−１）、判定結果に基づいてコンテンツ配信装置の検索を継続、または、終了する。
【００５６】
問い合わせ先からの応答がストリーミング配信可能な状態であった場合（Ｓ３０５で「YES」）、ストリーミング配信制御手段２１ｂは、放送番組のストリーミング配信を実行するコンテンツ配信装置は有りと判断して検索結果を「ＹＥＳ」とし（Ｓ３０６）、サーバ装置２１によるコンテンツ配信装置の検索を終了する。
【００５７】
引き続き、図４を参照して、本実施の形態にかかる携帯端末装置２０を含んだ放送番組視聴システム２００の動作シーケンスについて、説明する。
サーバ装置２１によって携帯端末装置２０に対して放送番組のストリーミング配信を実行するコンテンツ配信装置２２−ｎが検索され決定されると（Ｓ２０７）、サーバ装置２１は、携帯端末装置２０に対してコンテンツ配信装置が確定した旨を通知するコンテンツ配信サーバ確定通知を送信する（Ｓ２０８）。
【００５８】
サーバ装置２１からのコンテンツ配信サーバ確定通知を受信すると、携帯端末装置２０は、現在視聴している放送番組のチャンネルに関する情報（チャンネル情報）を送信し（Ｓ２０９）、サーバ装置２１は、受信した携帯端末装置２０が視聴中の放送番組のチャンネル情報とともに携帯端末装置２０のＮＷ情報をコンテンツ配信装置２２−ｎへ送信する（Ｓ２１０）。
ここで、視聴中のチャンネルを変更する場合、携帯端末装置２０は、サーバ装置２１に対して変更後のチャンネル情報を送信し、サーバ装置２１は、携帯端末装置２０から送信された変更後のチャンネル情報をコンテンツ配信装置２２−ｎへ送信する。
【００５９】
サーバ装置２１から送信された携帯端末装置２０が視聴中のチャンネル情報と携帯端末装置２０のＮＷ情報とを受信すると、コンテンツ配信装置２２−ｎは、受信したチャンネル情報の放送番組を受信したＮＷ情報の携帯端末装置２０へストリーミング配信を実行可能にするよう準備をし（Ｓ２１１）、携帯端末装置２０に対する放送番組のストリーミング配信の待機状態となる（Ｓ２１２）。
また、サーバ装置２１は、携帯端末装置２０からのストリーミング受信要求の受信の待機状態となり（Ｓ２１２）、携帯端末装置２０は、地デジ放送波の受信による放送番組の視聴を継続する（Ｓ２１２）。
【００６０】
次に、図７を参照して、地デジ放送波の受信圏外となった場合、本実施の形態にかかる携帯端末装置２０を含んだ放送番組視聴システム２００の動作シーケンスについて説明する。
図７に示すように、携帯端末装置２０において、地デジ放送波の受信による放送番組の視聴中に地デジ放送波の受信圏外が検知されると、携帯端末装置２０は、サーバ装置２１に対してストリーミング受信要求を送信する（Ｓ２１４）。
【００６１】
携帯端末装置２０から送信されるストリーミング受信要求を受信したサーバ装置２１は、コンテンツ配信装置２２−ｎに対して携帯端末装置２０に対する放送番組のストリーミング配信の開始を要求するストリーミング配信開始要求を送信する（Ｓ２１５）。
サーバ装置２１から送信されたストリーミング配信開始要求を受信したコンテンツ配信装置２２−ｎは、携帯端末装置２０が視聴している放送番組のストリーミング配信が可能状態である旨を通知するストリーミング配信開始準備完了通知をサーバ装置２１に対して送信する（Ｓ２１６）。
【００６２】
コンテンツ配信装置２２−ｎから送信されたストリーミング配信開始準備完了通知を受信したサーバ装置２１は、コンテンツ配信装置２２−ｎから放送番組のストリーミング配信を受信可能にするコンテンツ配信装置２２−ｎへの接続鍵情報を携帯端末装置２０に対して送信する（Ｓ２１７）。
接続鍵情報を受信した携帯端末装置２０は、コンテンツ配信装置２２−ｎに対して接続鍵情報を送信するとともにストリーミング配信の開始要求を送信する（Ｓ２１８）。
【００６３】
携帯端末装置２０から接続鍵情報を受信したコンテンツ配信装置２２−ｎは、携帯端末装置２０に対して待機状態であった放送番組のストリーミング配信を開始する（Ｓ２１９）。携帯端末装置２０は、コンテンツ配信装置２２−ｎからストリーミング配信されるパケットを受信することで、引き続き視聴中の放送番組を視聴できる（Ｓ２２０）。
【００６４】
また、携帯端末装置２０がコンテンツ配信装置２２−ｎからのストリーミング配信による放送番組の視聴中にチャンネルの切替を行う場合について、本実施の形態における放送番組視聴システム２００の動作シーケンスを説明する。
図７に示すように、携帯端末装置２０は、コンテンツ配信装置２２−ｎに対しチャンネル変更を要求するパケットをサーバ装置２１を介して送信する（Ｓ２２１、Ｓ２２２）。
コンテンツ配信装置２２−ｎは、サーバ装置２１を介して携帯端末装置２０から送信されたチャンネル変更の要求を受信すると、受信したチャンネル変更の要求に応じてストリーミング配信を実行する放送番組の変更準備を行い、チャンネル変更の完了通知をサーバ装置２１を介して携帯端末装置２０へ送信する（Ｓ２２３，Ｓ２２４）。
【００６５】
チャンネル変更の完了通知を送信した後に、コンテンツ配信装置２２−ｎは、チャンネル変更後の放送番組のストリーミング配信を開始する（Ｓ２２５）。携帯端末装置２０は、コンテンツ配信装置２２−ｎからストリーミング配信されるパケットを受信することにより、チャンネル変更後の放送番組を視聴できる。
【００６６】
また、携帯端末装置２０がコンテンツ配信装置２２−ｎからのストリーミング配信による放送番組の視聴を終了する場合について、本実施の形態における放送番組視聴システム２００の動作シーケンスを説明する。
図７に示すように、携帯端末装置２０は、コンテンツ配信装置２２−ｎに対し視聴終了する際に送信するストリーミング配信終了を要求するパケット（以下「終了要求」とする。）をサーバ装置２１を介して送信する（Ｓ２２６、Ｓ２２７）。
コンテンツ配信装置２２−ｎは、サーバ装置２１を介して携帯端末装置２０から送信された終了要求を受信すると、受信した終了要求に応じてストリーミング配信を終了させ、正常にストリーミング配信を終了した旨を通知する終了完了通知をサーバ装置２１を介して携帯端末装置２０へ送信する（Ｓ２２８，Ｓ２２９）。
【００６７】
携帯端末装置２０は、サーバ装置２１を介してコンテンツ配信装置２２−ｎから送信された終了完了通知を受信すると、放送番組を視聴するためのアプリケーションなどを終了させて放送番組の視聴を終了する（Ｓ２３０）。
【００６８】
このように、本実施の形態にかかる携帯端末装置を含んだ放送番組視聴システムによれば、携帯端末装置によって放送番組を視聴している際に放送波の受信圏外となっても、放送波の受信状況を監視することによって放送波の受信圏外を検知し、放送番組の視聴手段をコンテンツ配信装置からの放送番組のストリーミング受信よる視聴手段へ切り替えることで引き続き視聴中の放送番組を視聴できる。
さらに、サーバ装置によってコンテンツ配信装置を携帯端末装置が視聴している放送番組の放送対象地域に基づいて検索することで、携帯端末装置で放送番組を視聴する地域に応じたコンテンツ配信装置を決定することができ、接続親和性の優先順位を定めてコンテンツ配信装置を検索することで、放送番組のストリーミング配信時においてネットワークの通信負荷を軽減させることが可能となる。
【００６９】
なお、本実施の形態における放送番組視聴システムは、これまで説明した放送番組視聴システム２００のサーバ装置２１とコンテンツ配信装置２２−ｎとを一の装置に内蔵するネットワーク接続テレビ装置によって、携帯端末装置に対して放送番組をネットワークを介してストリーミング配信する放送番組視聴システムとしても良い。
図８に、上記した放送番組視聴システム３００のブロック図を示す。図８に示すように、放送番組視聴システム３００は、放送番組放送局Ｂより放送されている放送番組をネットワーク接続テレビ装置３１からネットワークＡを介して携帯端末装置２０にストリーミング配信することにより、携帯端末装置２０が放送波の受信圏外となる状況でも引き続き放送番組を視聴できる。
【産業上の利用可能性】
【００７０】
地上波デジタルテレビ放送を受信することができる携帯型の情報端末装置や車載情報端末装置に利用できる。また、これら情報端末装置とホームサーバ装置とコンテンツ配信装置とから構成される放送番組のストリーミング配信システムに利用できる。
【符号の説明】
【００７１】
１０，２０…携帯端末装置、１１０，２１０…パケット通信実行部、１２０，２２０…放送番組受信部、１３０…受信状況監視部、１４０，２４０…放送番組出力部、２４１…表示装置、２４２…音声出力装置、１５０，２５０…視聴手段切替制御部、２１…サーバ装置、２１ａ…データベース、２１ｂ…ストリーミング配信制御手段、３１…ネットワーク接続テレビ装置、３１ａ…ストリーミング配信制御手段、３１ｂ…コンテンツ配信手段、２２−１〜２２−ｎ…コンテンツ配信装置、Ａ…ネットワーク、Ｂ…放送番組放送局。
【図１】
2011146896.tif 000003
【図２】
2011146896.tif 000004
【図３】
2011146896.tif 000005
【図４】
2011146896.tif 000006
【図５】
2011146896.tif 000007
【図６】
2011146896.tif 000008
【図７】
2011146896.tif 000009
【図８】
2011146896.tif 000010